(57)【要約】  本開示によれば、患者を搬送するのに適合している上部移送台（１２４）は、可動ベース（１２２）と、病室内の連結ステーション（１００）との間を移動することができる。従って、患者をストレッチャ（１２０）と病室のベッドとの間で移送する代わりに、患者を乗せた上部移送台全体（１２４）を可動ベース（１２２）と連結ステーション（１００）との間で移動することができる。
2005515801.tif 000002
【特許請求の範囲】
【請求項１】
室壁を有する病院で使用される連結ステーションであって、
上部移送台と、
前記室壁から離れるように延在し、前記上部移送台を支持するように適合している少なくとも１本の支持レールと、
を備える連結ステーション。
【請求項２】
前記支持レールの末端部に連結され、下方に延びて前記病院の床と係合する支持脚部を含む、請求項１の連結ステーション。
【請求項３】
少なくとも１本の前記支持レールは、前記室壁から離れるように延在する一対の支持レールを含み、
前記一対の支持レールは、前記上部移送台を収容して支持するように適合している、請求項１の連結ステーション。
【請求項４】
それぞれが、前記支持レールのそれぞれと連結される一対の側部レールを含む、請求項３の連結ステーション。
【請求項５】
前記上部移送台は、頭部セクションと、シートセクションと、脚部セクションとを含み、
前記上部移送台の前記頭部セクションは、上方に回動して上方位置に到達するように構成され、
前記上部移送台の前記脚部セクションは、下方に回動して下方位置に到達するように構成されている、請求項３の連結ステーション。
【請求項６】
前記上部移送台の前記シートセクションは、前記上部移送台の前記頭部セクションが前記上方位置へと上方に回動し、前記上部移送台の前記脚部セクションが前記下方位置へと下方に回動するに伴って、前記支持レールに沿って前記支持レールのフットエンドに向かって水平に移動するように構成され、
前記側部レールは、前記支持レールのフットエンドに向かって前記シートセクションとともに水平に移動するように構成されている、請求項５の連結ステーション。
【請求項７】
駆動装置を含み、
前記上部移動台及び前記支持レールは、前記駆動装置によって下方に移動し下方位置に到達するように構成されている、請求項３の連結ステーション。
【請求項８】
前記側部レールの１本のフットエンドセクションは、前記側部レールのヘッドエンドセクションに対して横方向外方に回動し、患者が前記上部移送台の一側部から降りることができるように構成されている、請求項７の連結ステーション。
【請求項９】
室壁を有する病院で使用される装置であって、
搬送台車と、
前記室壁に連結された連結ステーションと、
上部移送台と、
を有し、
前記連結ステーションは、リフト機構と、前記リフト機構から片持ち梁状に水平方向に延びるリフトアームとを有し、
前記リフトアームは、前記上部移送台を支持するのに適合し、
前記上部移送台は、前記リフトアームと前記搬送台車との間を搬送可能であり、
前記リフト機構は、前記リフトアーム及び前記上部移送台を昇降するように操作可能である装置。
【請求項１０】
前記搬送台車は、前記上部移送台が前記連結ステーションから離脱でき、前記上部移送台が前記搬送台車に連結でき前記搬送台車によって前記連結ステーションから搬送できるように、前記上部移送台の下方の位置に移動できるように配置されている、請求項９の装置。
【請求項１１】
前記上部移送台は、前記上部移送台から下方に延びて床と係合する使用位置と、前記床から離間した収納位置との間を前記上部移送台に対して回動する、収納可能な脚部を含む、請求項９の装置。
【請求項１２】
前記搬送台車は、前記搬送台車が前記上部移送台の下方位置に移動されたとき、前記格納可能な脚部と係合し、前記格納可能な脚部を前記使用位置から前記格納位置に移動させる、請求項１１の装置。
【請求項１３】
前記上部移送台は、マットレスと、前記マットレスの下にあるマットレス支持デッキとを有し、
前記マットレス支持デッキは、前記リフトアームに連結されて共に昇降し、前記格納可能な脚部は、前記収納位置において前記マットレス支持デッキの下面に隣接して水平に延びる、請求項１１の装置。
【請求項１４】
室壁を有する病院で使用される装置であって、
車輪付きベースと、
前記室壁に連結された連結ステーションと、
前記車輪付きベースによって搬送されるように、及び前記室壁に対して前記連結ステーションによって支持されるように、前記車輪付きベース又は前記連結ステーションに選択的に連結可能な上部移送台と、
を備える装置。
【請求項１５】
室壁を有する病院で使用される装置であって、
前記室壁から離れるように片持ち梁状に水平方向に延びるリフトアームと、
マットレス収容空間を画定するように構成された、前記リフトアームに連結されたボルスタと、
可動ベース及び該可動ベースによって保持されたマットレスを有する可動プラットフォームと、
を有し、
前記可動プラットフォームは、前記マットレスが前記マットレス収容空間に収容される位置に移動可能である装置。
【請求項１６】
前記ボルスタは、前記マットレスが前記マットレス収容空間に収容されたとき、前記マットレスの上面と協働して、患者を支えることに利用できる表面積の大きさを増やす上面を含む、請求項１５の装置。
【請求項１７】
上部移送台と、
ペデスタルと、
前記ペデスタルに連結され、片持ち梁状に延びる少なくとも１本のアームと、
を有し、
前記少なくとも１本のアームは前記上部移送台を支持するのに適合している、患者治療モジュール。
【請求項１８】
前記上部移送台は、頭部セクションと、シートセクションと、脚部セクションとを有し、
前記上部移送台の前記頭部セクションは、上方に回動して上方位置に到達するように構成され、
前記上部移送台の前記脚部セクションは、下方に回動して下方位置に到達するように構成されている、請求項１７の患者治療モジュール。
【請求項１９】
前記ペデスタルに連結された少なくとも一つのサービス用差込口を含む、請求項１７の患者治療モジュール。
【請求項２０】
前記ペデスタルに連結され、収納位置と使用位置との間を移動可能な患者用テーブルを含む、請求項１７の患者治療モジュール。
【請求項２１】
前記患者用テーブルは、前記収納位置において、前記アームに対して垂直に延び、前記使用位置において、前記アームに対して平行に延びる、請求項２０の患者治療モジュール。
【請求項２２】
床を有する病室で使用される患者治療モジュールであって、
前記床に対して軸線の回りを回転可能に前記床と連結するのに適合しているベースと、
前記ベースに連結されたペデスタルと、
前記ペデスタルに対して支持された上部移送台と、
を有し、
前記ペデスタル及び前記上部移送台は、前記ベースと共に前記軸線の回りを回転する、患者治療モジュール。
【請求項２３】
前記回転軸は、垂直であり、前記ペデスタルからオフセットしている、請求項２２の患者治療モジュール。
【請求項２４】
前記回転軸は、前記ペデスタルを通って延びている、請求項２２の患者治療モジュール。
【請求項２５】
前記ペデスタルと、
前記ペデスタルに対して支持された上部移送台と、
前記ペデスタルに連結された患者用テーブルと、
を有し、
前記患者用テーブルは、前記ペデスタルから横方向に延び、前記上部移送台上に支えられた患者の上方にある患者使用位置と、収納位置との間を前記ペデスタルに対して回動可能である、患者治療モジュール。
【請求項２６】
前記ペデスタルには、前記患者用テーブルが前記患者使用位置にあるときに露出され、前記患者用テーブルが前記収納位置にあるときに覆われる収納用凹部が形成されてなる、請求項２５の患者治療モジュール。
【請求項２７】
前記患者用テーブルは、前記上部移送台の反対側の前記ペデスタルの側部から横方向に離れるように延びる介護者使用位置に前記ペデスタルに対して回動可能である、請求項２５の患者治療モジュール。
【請求項２８】
前記患者用治療モジュールテーブルは、前記ペデスタルに対して、垂直方向に調整可能である、請求項２５の患者治療モジュール。
【請求項２９】
ペデスタルと、
前記ペデスタルに対して支持された上部移送台と、
前記ペデスタルに連結された患者用テーブルと、
前記患者用テーブルの上方で支持された通信制御装置と、
を備える、患者治療モジュール。
【請求項３０】
前記通信制御装置は、前記上部移送台上に支えられた患者が利用することができる電話機を含む、請求項２９の患者治療モジュール。
【請求項３１】
前記通信制御装置は、前記上部移送台上に支えられた患者が利用することができる双方向表示装置を含む、請求項２９の患者治療モジュール。
【請求項３２】
ペデスタルと、
前記ペデスタルによって支持される上部移送台と、
前記ペデスタルに連結された患者モニタモジュールと、
前記ペデスタルに連結された制御パネルと、
を有し、
前記制御パネルは、データを前記患者モニタモジュールと交換可能に構成されている患者治療モジュール。
【請求項３３】
前記制御パネルは、前記上部移送台上に支えられた患者がアクセスできない、請求項３２の患者治療モジュール。
【請求項３４】
床を有する病院で使用する装置であって、
搬送ベースと、
前記床に支持され、ペデスタルと、該ペデスタルの側部から片持ち梁状に延びる少なくとも一つのアームとを有する患者治療モジュールと、
搬送ベースによって搬送されるように、あるいは前記床に対して前記患者治療モジュールによって支持されるように、前記搬送ベース又は少なくとも一つのアームに選択的に連結可能な上部移送台と、
を備える装置。
【請求項３５】
前記搬送ベースは、
中心ハブ及び該中心ハブから放射状に延びる複数のスポークを有する下部フレームと、
複数の前記スポークの各スポークとそれぞれ連結される複数のホイールと、
前記中心ハブから上方に延びる支柱と、
前記支柱に連結されたマットレス支持デッキと、
を備える、請求項３４の装置。
【請求項３６】
前記マットレス支持デッキは、中央セクションと、該中央セクションに対して水平位置と垂直位置との間で回動動作をするように連結された一対の端部セクションとを含む、請求項３５の装置。
【請求項３７】
中心ハブ、及び該中心ハブから放射状に延びる複数のスポークを有する下部フレームと、
前記複数のスポークの各スポークとそれぞれ連結される複数のホイールと、
前記中心ハブから上方に延びる支柱と、
前記支柱に連結されたマットレス支持デッキと、
を備える搬送ベース。
【請求項３８】
床を有する病院で使用される装置であって、
車輪付きベースと、
前記床に支持され、ペデスタル、及び該ペデスタルの一側部から延びる少なくとも一つのアームを含む患者治療モジュールと、
前記車輪付きベースにより搬送されるように、あるいは、前記床に対して前記患者治療モジュールによって支持されるように、前記車輪付きベース又は少なくとも一つのアームに対して選択的に連結可能な上部移送台と、
を備える装置。
【請求項３９】
前記ペデスタルは、ベースと、該ベースに連結された供給管とを含み、
サービス供給ラインが前記供給管を介して前記患者治療モジュールに配線される、請求項３８の装置。
【請求項４０】
前記ペデスタルは、複数のサービス用差込口を含む、請求項３８の装置。
【請求項４１】
前記ペデスタルは、前記上部移送台によって支えられた患者の上にある位置に前記ペデスタルに対して軸線の回りを回転可能な患者用テーブルを含む、請求項３８の装置。
【請求項４２】
前記上部移送台は、頭部セクション、シートセクション、及び大腿部セクションを有し、
前記上部移送台は、前記上部移送台のシートセクションから上方に延びた前記上部移送台の頭部セクション、及び前記シートセクションから下方に延びた前記上部移送台の脚部セクションを有する椅子位置に移動するように構成されている、請求項３８の装置．
【請求項４３】
病室用ベッドのベースフレームに連結するのに適合している連結ポートを含むペデスタルと、
前記ペデスタルに連結された少なくとも一つのサービス用差込口と、
を有する患者治療モジュール。
【請求項４４】
前記ペデスタル及び前記病室用ベッドは、前記病室用ベッドが前記ペデスタルの前記連結ポートに連結したとき、垂直軸線の回りを回動可能である、請求項４３の患者治療モジュール。
【請求項４５】
バスルーム領域と、
訪問者領域と、
床に連結され、患者を支えるように構成された患者支持装置と、
を備える病室であって、
前記患者支持装置は、ヘッドエンド及びフットエンドを有し、前記患者支持装置は、前記フットエンドが前記バスルーム領域に対向する第１の位置と、前記フットエンドが前記訪問者領域に対向する第２の位置との間で垂直軸線の回りを回転可能である病室。
【請求項４６】
前記患者支持装置から前記バスルーム領域に延びる天井支持レールを含み、
前記天井支持レールに連結された患者支持具をさらに含み、該患者支持具は、前記患者支持装置が前記第１の位置に移動され、患者を前記患者支持装置から降り易くする椅子の位置に折れ曲がったとき、前記バスルーム領域に移動する患者によって使用される、請求項４５の病室。
【請求項４７】
医療データモニタを有するヘッドウォールを含み、
前記患者支持装置は、前記患者支持装置のヘッドエンドが前記ヘッドウォールに対向する第３の位置に回転可能である、請求項４５の患者の部屋。
【請求項４８】
前記患者支持装置は、患者モニタモジュールを有するペデスタルを含み、
前記患者支持装置によって支えられた患者からのデータが、前記患者から前記患者モニタモジュールに延びる第１のデータラインを介して前記ペデスタルに伝送され、
前記患者モニタモジュールからのデータが、前記患者モニタモジュールから前記医療データモニタに延びる第２のデータラインを介して前記医療データモニタに伝送され、
前記第２のデータラインは、前記ペデスタルを介し、前記患者の部屋の床に形成されたサービス用溝を介して配線される、請求項４７の病室。
【請求項４９】
垂直軸線の回りに回転する支柱と、
前記支柱に連結され共に回転する連結ポートと、
を有し、
該連結ポートは病室用ベッドのベースフレームに連結されるように適合している、連結ステーション。
【請求項５０】
前記支柱取付連結ポート及び前記病室用ベッドは、前記垂直軸線の回りを回転可能である、請求項４９の連結ステーション。
【請求項５１】
支柱と、
該支柱に連結された連結ポートと、
前記連結ポートの上方で、前記支柱に連結された通信制御装置と、
を備える連結ステーション。
【請求項５２】
支柱と、
該支柱に連結された連結ポートと、
前記連結ポートの上方で、前記支柱に連結された患者用テーブルと、
を備える連結ステーション。
【請求項５３】
前記患者用テーブルは、前記支柱に対して昇降可能である、請求項５２の連結ステーション。
【発明の詳細な説明】
【技術分野】
【０００１】
この発明はベッド連結装置に関する。
【背景技術】
【０００２】
関連出願への相互参照
本出願は、２００２年５月１７日出願の米国特許出願番号第        号及び２００１年５月２５日出願の米国特許仮出願番号第６０／２９３，９４９号に基づく優先権を主張し、同特許出願の開示を本明細書に援用する。
【０００３】
病院内や医療施設内において、患者は高可動性のストレッチャに乗せられて、ある場所から他の場所へと頻繁に搬送される。また、患者は、入院中に、病室内にあるベッド上で非常に長い時間を過ごす。病院のベッドには、患者を支持するデッキを上下させたり傾斜させたりするための駆動連節機構、テレビ、ラジオ、他の制御装置を備えた側部レール、患者の体重測定装置などのような種々の装置が一般に具備されている。従って、病院のベッドは、重量が増加しているので、一般にストレッチャよりは可搬性に劣る。また、患者をストレッチャとベッドとの間で移動させることは、ときに困難であり、時間がかかるものである。ときには、介護者が患者を移送しているときに背中を痛めてしまうことがある。従って、医療施設では、病室のベッドとストレッチャとの間で患者を移送する回数を最小限に抑えることが望ましい。
【発明の開示】
【発明が解決しようとする課題】
【０００４】
本開示によれば、患者を運ぶのに適合している上部移送台は、可動ベースと固定支持構造体（また、連結ステーションあるいは患者治療モジュールともいう）との間を搬送可能である。従って、患者を、病院用ベッドとストレッチャとの間で搬送する代わりに、患者を載せた上部移送台全体が可動ベースと固定支持構造体との間で移送される。
【課題を解決するための手段】
【０００５】
例示の連結ステーションは、病室の壁から離れるように延び、上部移送台を支持するように適合している支持レールを含む。実施例によっては、連結ステーションは、一対の離間した支持レールと、一対の側部レールとを含む。各側部レールは各支持レールと連結されている。
【０００６】
本開示によれば、病院で使用される装置が、車輪付きベースと、病室に連結された連結ステーションと、上部移送台とを有し、この上部移送台は、車輪付きベースで搬送すべく車輪付きベースと、あるいは、連結ステーションで支持すべく連結ステーションと選択的に連結することができる。
【０００７】
実施例によっては、例示の装置は、病室の壁から離れるように延びる一対の支持レールと、この一対の支持レールに連結され、マットレス収容空間を画定するように構成された部分を有するボルスタと、可動ベース及びこの可動ベースによって支持されたマットレスを有する患者支持プラットフォームとを有する。この患者支持プラットフォームは、マットレスがマットレス収容空間に収容される位置まで移動することができる。
【０００８】
本開示によれば、患者治療モジュールが、ペデスタルと、ペデスタルに連結され、上部移送台を支持するように適合している少なくとも一つの支持アームとを備えている。上部移送台は、ペデスタルと、可動プラットフォームとの間を移送することができる。実施例によっては、患者治療モジュールは、ペデスタルに連結された少なくとも一つのサービス用差込口を含む。他の実施例では、患者治療モジュールは、ペデスタルに連結され、支持アームに対して垂直になるように延びる収納位置と、アームに対して平行に延びる使用位置との間を移動できるオーバーベッドテーブルを含む。
【０００９】
実施例によっては、例示の患者治療モジュールは、床に対して軸線の回りを回転可能に床に連結するのに適合しているベースと、ベースに連結されたペデスタルと、ペデスタルに対して支持された上部移送台とを含む。ペデスタル及び上部移送台は、ベースと共に軸線の回りを回転するように構成されている。
【００１０】
他の実施例によれば、患者治療モジュールは、ペデスタルと、このペデスタルに連結された複数の患者モニタモジュールと、ペデスタルに連結され、複数の患者モニタモジュールとデータを交換するように構成された制御パネルとを備えている。
【００１１】
さらなる実施例によれば、患者治療モジュールは、ペデスタルと、ペデスタルに連結されたオーバーベッドテーブルと、ペデスタルに連結された通信制御装置とを備えている。
【００１２】
例示の患者治療モジュールは、病院用ベッドのベースフレームに連結されるのに適合しているカプラを有する連結ポートと、連結ポートに連結されたペデスタルと、ペデスタルに連結された少なくとも一つのサービス用差込口とを備えている。
【００１３】
病院にて使用する例示の装置は、車輪付きベースと、ペデスタルの一側部から片持ち梁状に延びる少なくとも一つのアームと、車輪付きベースによって搬送すべく車輪付きベースと、又はペデスタルによって支持すべく少なくとも一つのアームと選択的に連結可能な上部移送台とを備えている。
【００１４】
本開示によれば、病室は、バスルーム領域と、訪問者領域と、患者支持装置とを備えている。患者支持装置は、ヘッドエンドと、フットエンドと、床に連結されたペデスタルと、このペデスタルに対して支持され、患者を移送するように構成された上部移送台とを備えている。患者支持装置は、フットエンドがバスルーム領域に対向する第１の位置と、フットエンドが訪問者領域に対向する第２の位置との間で軸線の回りを回転することができる。
【００１５】
例示の病室は、壁と、床と、壁に連結されたモニタと、床取付ペデスタルを含む患者支持装置と、ペデスタルに連結された少なくとも一つの患者モニタモジュールと、この患者モニタモジュールからモニタにデータを伝送するサービス用ラインとを備えている。
【００１６】
実施例によっては、連結ステーションは、垂直軸線の回りを回転する支柱と、この支柱に連結され共に回転し、病室用ベッドのベースフレームに連結される連結ポートとを備えている。他の実施例によれば、連結ステーションは、連結ポートの上方で支柱に連結された通信制御装置と、連結ポートの上方で支柱に連結されたオーバーベッドテーブルとを備えている。
【００１７】
本発明のさらなる特徴及び利点は、現時点で考えられる、本発明を実施する最良の態様を説明する好適な実施例の詳細な下記説明を考察することによって、当業者には明らかになるであろう。
【発明を実施するための最良の形態】
【００１８】
＝＝＝図面の詳細な説明＝＝＝
この説明を通して、（１）用語「連結ステーション」、「ペデスタル」及び「患者治療モジュール」は相互に交換可能に使われる。（２）用語「移送台」、「車輪付きベース」、「可動ベース」、「ストレッチャ台」、「搬送台車」、及び「可動プラットフォーム」は相互に交換可能に使われる。（３）用語「上部移送台」、「マットレス支持デッキ」及び「患者支持デッキ」は相互に交換可能に使われる。
【００１９】
本開示によれば、連結ステーション１００は、図１に最良に示されるように、病室１０６の壁１０４から水平方向に離れるように、片持ち梁状に延在する一対の支持レール１０２を含む。支持レール１０２は互いに離間していてその間に連結空間１０８を画定している。一組の支持脚１１０が支持レール１０２の外側端部すなわち末端部に連結され、そこから下方に延在して病室１０６の床１１２と係合している。各脚１１０は、上部１１４と、上部１１４に入れ子状に出入する下部１１６とを含む。また、連結ステーション１００は、一対の側部レール１１８も有する。各側部レール１１８は、例えば、図１〜４に示されるように、各支持レール１０２から上方に延在している。
【００２０】
ストレッチャ１２０は、図１に示すように、移送台１２２、及び移送台１２２に支持される上部移送台１２４を含む。また、移送台１２２及び上部移送台１２４は、それぞれストレッチャ台及び上部ストレッチャともいう。上部移送台１２４は、移送台１２２から取り外し可能であり、連結ステーション１００の可動台すなわちキャリッジ１２６に取り付け可能である。可動台１２６は、後で詳しく説明するように、支持レール１０２に移動可能に取り付けられ、支持レール１０２に沿って移動する。説明するための実施例において、可動台１２６は支持レール１０２に設けられた軌道に搭載されたローラあるいは車輪を含む。他の実施例において、上部移送台１２４は支持レール１０２に直接取り付けられ支持レール１０２に沿って移動する。
【００２１】
上部移送台１２４を移送台１２２から連結ステーション１００に移送するときには、ストレッチャ１２０が、図１に示すように、矢印１２８の方向に移動され、上部移送台１２４は連結空間１０８に収容される。第一組の連結機構が上部移送台１２４を移送台１２２から離脱するように作用し、また、第二組の連結機構が上部移送台１２４を支持レール１０２によって支持された可動台１２６に連結するように作用する。その後、移送台１２２は、図２に示すように、連結ステーション１００から矢印１３０の方向に離れるように移動し、上部移送台１２４は、図２〜図４に示すように、支持レール１０２によって支持されて連結空間１０８に残される。第一組及び第二組の連結機構は、例えば、上部移送台１２４のある部分、あるいは連結ステーション１００のある部分を把持するグリッパ、上部移送台１２４のある部分あるいは連結ステーション１００のある部分と係合するクラッチ、上部移送台１２４あるいは連結ステーション１００に形成された孔に装着された手動駆動ピン、上部移送台１２４あるいは連結ステーション１００に形成された孔に装着されたソレノイド駆動プランジャ、柱などに支持されたフックあるいはラッチ、対応する孔に対して出入するブレード、あるいは上部移送台１２４を可動台１２６及び移送台１２２に離脱可能に連結するのに適した他のタイプの従来の機構を含むことができる。
【００２２】
上部移送台１２４は、連節デッキ１３２、及びこのデッキ１３２によって支持されたマットレス１３４を備えている。デッキ１３２は３つのセクションを有し、また、マットレス１３４はデッキ１３２の３つのセクションによって支持された対応部分を備えている。このようにして、デッキ１３２は、マットレス１３４と協働して、図３に示すように、上部移送台１２４に対し、頭部セクション１３６、シートセクション１３８、及び脚部セクション１４０を設けることになる。連結ステーション１００は、上部移送台１２４が、図２に示すように、支持レール１０２に連結されたとき、上部移送台１２４に含まれる連節機構１４４と自動的に連結する駆動機構１４２を含む。同様に、ストレッチャ１２０も、上部移送台１２４がストレッチャ１２０と連結されたとき、上部移送台１２４の連節機構１４４と相互に作用しあう駆動機構１４６をも含む。
【００２３】
側部レール１１８には、連結ステーション１００の駆動機構１４２を制御する患者及び／又は介護者の指令を入力するための制御装置１４８が含まれる。上部移送台１２４が連結ステーション１００に連結されたとき、側部レール１１８の制御装置１４８からの指令によって、連結ステーション１００の駆動機構１４２が作動され、上部移送台１２４に含まれる連節機構１４４を介して、頭部セクション１３６、シートセクション１３８及び脚部セクション１４０を支持レール１０２に対して移動させる。上部移送台１２４のシートセクション１３８は、支持レール１０２に支持された可動台１２６に連結されている。また、側部レール１１８は可動台１２６に連結されている。従って、側部レール１１８及び上部移送台１２４は、可動台１２６が支持レール１０２に沿って移動するに伴い、可動台１２６と一緒に移動する。図１に示すように、ストレッチャ１２０は、ストレッチャ１２０の駆動機構１４６の制御に使用される、ストレッチャ側部レール１５１に取り付けられた制御装置１５０を備えている。従って、上部移送台１２４は、連結ステーション１００と連結したとき、及びストレッチャ１２０と連結したとき、種々の位置をとるように折り曲がることができる。
【００２４】
図示の上部移送台１２４は、図２に示す水平位置、すなわち、実質的に互いに平行で平面をなす、頭部セクション１３６、シートセクション１３８及び脚部セクション１４０に対応するマットレスの各セクションの上面を有する位置と、図３に示す椅子の位置、すなわち、シートセクション１３８に対して上方の上昇位置まで回転した頭部セクション１３６及びシートセクション１３８に対して下方の下降位置まで回転した脚部セクション１４０を有する位置との間を移動することができる。上部移送台１２４が図３に示す椅子の位置に移動するとき、可動台１２６、上部移送台１２４の残り部分と一緒のシートセクション１３８、及び側部レール１１８がすべて支持レール１０２のフットエンド１５２に向かって水平に移動する。従って、連結ステーション１００は、上部移送台１２４が屈曲して椅子の位置をとるとき、可動台１２６を支持レール１０２に沿って支持レール１０２のフットエンド１５２に向けて移動させる、図３に示すドライバ１５４を含む。可動台１２６が支持レール１０２のフットエンド１５２に向けて移動することによって、患者は上部移送台１２４から簡単に降りることができる。
【００２５】
病院用ベッドに係る技術において、親ねじ装置を含む種々のタイプの伝動要素及び種々のタイプの機械式リンク機構を有する駆動モータを用いて、病院用ベッド、ストレッチャ、椅子及び他のタイプの患者搬送支持装置（ここではときには総称的に「患者支持装置」と称することもある）の各部分を相対的に移動することは、周知である。従って、「駆動機構」、「駆動アセンブリ」、「駆動装置」、及び「ドライバ」のような用語は、患者支持装置の各部分を患者支持装置の他の各部に対して移動操作可能な電気式、機械式、電気機械式、油圧式及び空気式のすべてのタイプの駆動装置をカバーすることを意図するものである。また、「連節機構」、「リンクアセンブリ」、「リンク機構」及び「伝動アセンブリ」のような用語は、駆動機構に連結して駆動機構から患者支持装置の一部へ運動を伝達する、ベルト、ギア、ラック、ピニオン、相互連結リンク、トルクコンバータ、ボールネジ、チェーン、スプロケット、プーリ、ケーブルなどのすべてのタイプの部品、及びこれらを組み合わせたものをすべてカバーするものである。ここにおいて、本明細書に援用するものであるが、駆動連節機構の例として、「連節ベッドフレーム」と称する米国特許第６，００６，３７９号を参照するとよい。
【００２６】
連結ステーション１００は、病室の壁１０４の後に配置されたモータパッケージ１５６（仮想線）を含む。モータパッケージ１５６は、リンク機構アセンブリを介して支持レール１０２に連結されたドライバを有している。モータパッケージ１５６のドライバは、支持レール１０２を、図１〜図３に示される上昇（raised）位置と、図４に示される下降（lowered）位置との間を縦方向に移動するように操作することができる。側部レールに取り付けられた制御装置１４８は、モータパッケージ１５６のドライバに対して操作を指令する。支持レール１０２が下降位置にあるとき、上部移送台１２４は床１１２に近い位置で支持され、支持レール１０２が上昇位置にあるときよりも容易に、患者を上部移送台１２４の側部から降ろすことができる。側部レール１１８は頭部部分１５８と脚部部分１６０とを含み、脚部部分１６０は頭部部分１５８に対して矢印１６２の方向に縦軸の周りで横方向外方に回動して、図４に示すように患者が上部移送台１２４から容易に降りられるようにする。あるいは、側部レール１１８に、側部レール１０２が下方位置に移動するまで、側部レール１１８のセクション１５８、１６０を一緒にロックするように作動するインターロック機構を設けてもよい。
【００２７】
図５を参照すると、第１変形例の連結ステーション２００は、病室２０６の壁２０４に連結されたリフト機構２０２、及び、このリフト機構２０２から離れるように片持ち梁状に水平方向に延びる相互に離間した一対のリフトアーム２０８を含む。リフト機構２０２は、図５の垂直二重矢印で指示するように、リフトアーム２０８を昇降するように操作可能な駆動機構２１０を含む。上部移送台２１４は、マットレス２１６と、マットレス２１６の下にあるマットレス支持デッキ２１８とを含む。マットレス支持デッキ２１８は、リフトアーム２０８を受けるのに適合している複数の受け口（不図示）を有し、上部移送台２１４を連結ステーション２００に連結する。上部移送台２１４はリフトアーム２０８と共に上下に移動する。連結ステーション２００は、壁取付け、懸架式、あるいは無線式の好適なコントローラ２２０を備えており、使用者からの入力を受信してリフト機構２０２にその操作に係る指令を出し、リフトアーム２０８及び上部移送台２１４の昇降を制御する。
【００２８】
上部移送台２１４は脚部アセンブリ２２２を含む。脚部アセンブリ２２２は、マットレス支持デッキ２１８の脚端部分２２６に形成された受け口に装着される一つあるいは複数の連結部材２２４を有している。連結部材２２４の末端部に回動可能に連結された一つあるいは複数の格納可能な脚部２２８を有し、図５に示すように、上部移送台２１４に対して横方向に延在する水平軸線２２９を中心に回動運動を行う。格納可能な脚部２２８は、使用位置と格納位置との間をマットレス支持デッキ２１８に対して回動する。使用位置では、脚部２２８の端部に連結されたホイール２３０が病室２０６の床２３２と係合するように、マットレス支持デッキ２１８から垂直下方に延在して、一方、格納位置では、マットレス支持デッキ２１８の下面２３４に隣接し、水平方向に延在している。
【００２９】
上部移送台２１４は、リフトアーム２０８から取り外し可能であり、搬送台車２３６に取り付け可能である。上部移送台２１４をリフトアーム２０８及び搬送台車２３６に連結するための適当なロック機構（不図示）が設けられている。搬送台車２３６が上部移送台２１４から離れた第１の位置から上部移送台２１４の下に位置する第２の位置に矢印２３８にて示す水平方向に移動すると、搬送台車２３６は格納可能な脚部２２８と係合し、脚部２２８をそれらの各々の使用位置から各々の格納位置へとそれぞれ自動的に回動する。搬送台車２３６が第２の位置にきた後、上部移送台２１４は連結ステーション２００のリフトアーム２０８から離脱し、搬送台車２３６と連結して、連結ステーション２００から離れるように搬送される。
【００３０】
本開示によれば、第２変形例の連結ステーション３００は、図６に示すように、リフト機構３０２と、病室３１０の壁３０８に形成された対応する孔３０６を通過し、このリフト機構３０２から離れるように片持ち梁状に水平方向に延びる相互に離間した一対のリフトアーム３０４を備えている。リフト機構３０２は、病室壁３０８の後ろに配置されている。また、リフト機構３０２は、リフトアーム３０４を昇降させるように作用する駆動機構３１２を含む。連結ステーション３００は、リフト機構３０２の操作に使用する制御装置３１６を有する一対の側部レール３１４を含む。
【００３１】
連結ステーション３００は、図６〜図８に示すような、一対のリフトアーム３０４に連結されたボルスタ・アセンブリ３２０（ボルスタともいう）を含む。ボルスタ・アセンブリ３２０は、病室壁３０８に隣接したリフトアーム３０４の間に水平方向に延在するヘッドエンド部分３２２を含む。また、ボルスタ・アセンブリ３２０は、リフトアーム３０４に対して平行に、ヘッドエンド３２２から離れるように水平に延在する一対の側部部分３２４を含む。従って、ボルスタ・アセンブリ３２０は、一対の側部部分３２４の間にマットレス収容空間３２６を含むように形成されている。実施例によっては、ボルスタ・アセンブリ３２０のヘッドエンド３２２と側部部分３２４は、一つあるいは複数の空気袋や一つあるいは複数のフォームパッドのような患者支持具（support element）、及びこれらの患者支持具を入れる外カバーを備えている。側部レール３１４は、それぞれ、ボルスタ・アセンブリ３２０の側部部分３２４に連結され、上昇位置と下降位置との間を、長手方向に延びる軸線の回りを回動する。
【００３２】
可動プラットフォーム３３０は、図６〜図８に最良に示すように、上部移送台３３２と、この上部移送台３３２を保持する車輪付きフレーム３３４とを備えている。上部移送台３３２は、マットレス３３６と、マットレス３３６の下のマットレス支持デッキ３３８とを含む。可動プラットフォーム３３０は、連結ステーション３００に対して連結するように構成されている。しかしながら、上部移送台１２４、２１４が、それぞれ、支持レール１０２及びリフトアーム２０８に取り付けられた後、ストレッチャ台１２２及び搬送台車２３６がそれぞれ連結ステーション１００、２００から離れるように移動する連結ステーション１００、２００とは異なり、可動プラットフォーム３３０の車輪付きフレーム３３４は、可動プラットフォーム３３０が連結ステーション３００に連結したとき、上部移送台３３２の下にそのまま残る。
【００３３】
可動プラットフォーム３３０が連結ステーション３００に連結したとき、マットレス３３６は、マットレス収容空間３２６に収容され、ボルスタ・アセンブリ３２０のヘッドエンド部分３２２と側部部分３２４との上面がマットレス３３６の上面とほぼ同一平面をなす。従って、可動プラットフォーム３３０が連結ステーション３００に連結したとき、ボルスタ・アセンブリ３２０はマットレス３３６と協働して、患者を支えることのできる表面積を広げることができる。車輪付きフレーム３３４は、病室３１０の床３４２に対するマットレス３３６の高さを変えるように作用する駆動機構３４０を含む。可動プラットフォーム３３０が連結ステーション３００に連結したとき、マットレス３３６とボルスタ・アセンブリ３２０とが同時に昇降するように、連結ステーション３００におけるリフト機構３０２の駆動機構３１２の操作と、可動プラットフォーム３３０の車輪付きフレーム３３４の駆動機構３４０の操作とが連係されている。
【００３４】
本開示によれば、床取付の患者治療モジュール４００は、図９に示すように、ペデスタル４０２と、このペデスタル４０２から水平方向に延在する一対のリフトアーム４０４とを含む。患者治療モジュール４００は、図９及び図１１に示すように、リフトアーム４０４の下方に、ペデスタル４０２の底部部分４０８から延びるベースパネル４０６（ベースともいう）を含む。上部移送台４１０は、マットレス４１２と、マットレス４１２を支持する連節マットレス支持デッキ４１４とを含む。また、上部移送台４１０は、患者治療モジュール４００のリフトアーム４０４及び搬送ベース４２０と選択的に連結することができる。
【００３５】
搬送ベース４２０は、図９に示すように、下部フレーム４２２を含み、この下部フレーム４２２は、円筒状中心ハブ４２４と、この中心ハブ４２４から略水平方向外方に、放射状に延びる６本のスポーク４２６を有している。搬送ベース４２０は、スポーク４２６の末端、すなわち外端部に連結されたキャスター４２８を含む。スポーク４２６は、ハブ４２４から搬送ベース４２０のヘッドエンド４３０に向かってほぼ前方に延びる３本からなる第一組のスポーク４２６と、ハブ４２４から搬送ベース４２０のフットエンド４３２に向かってほぼ後方に延びる３本からなる第２組のスポーク４２６とに分けられる。キャスター４２８はスポーク４２６と協働して中心ハブ４２４を床４３４の上方に上げる。また、第一組の３本のスポーク４２６のキャスター４２８と第２組の３本のスポーク４２６のキャスター４２８とは、搬送ベース４２０がリフトアーム４０４に隣接した位置に移動したとき、ベースパネル４０６がこれら２組のスポーク４２８の間に嵌合できるような十分な距離で離間している。
【００３６】
搬送ベース４２０は、図９に示すように、中心ハブ４２４から上方に延びる垂直支柱４３６を含む。搬送ベース４２０の連節フレーム４３８は、垂直支柱４３６の上端部に連結された中央セクション４４０、この中央セクション４４０の前端に連結されたヘッドエンドセクション４４２、及び中央セクション４４０の後端部に連結されたフットエンドセクション４４４を有している。ヘッドエンドセクション４４２及びフットエンドセクション４４４は、それぞれ、中央セクション４４０に対して、図９において実線にて示すように各水平位置間にて、図９において仮想線にて示すように各垂直位置間にて回動することができる。ヘッドエンドセクション４４２及びフットエンド４４４がそれぞれの垂直位置にあるとき、搬送ベース４２０はコンパクトに収納できる構成とされる。上部移送台４１０は、図９に示すように水平位置から、例えば図１０に示すような種々の位置に折曲可能である。図１０における位置では、上部移送台４１０のヘッドエンドセクション４１６が立ち上げられ、上部移送台４１０のフットエンドセクション４１８がわずかに下げられて、患者を上体起こしの位置、すなわちリクライニング位置に支持している。上部移送台４１０が搬送ベース４２０に連結されたとき、搬送ベース４２０のヘッドエンドセクション４４２及びフットエンドセクション４４４の動きによって、上部移送台４１０のヘッドエンドセクション４１６及びフットエンドセクション４１８の動きが、それぞれ、制御される。
【００３７】
患者制御モジュール４００は、ペデスタル４０２の上部分４４８に連結された患者用テーブル４４６（オーバーベッドテーブルともいう）を含む。患者用テーブル４４６は、図１０にて実線で示す、ペデスタル４０２から横方向に離れるように延びて患者の膝の上に位置する第１の位置と、図１０にて仮想線で示す、ペデスタル４０２から横方向に離れるように、上部移送台４１０の反対側の、ペデスタル４０２の側部に延びる第２の位置との間を、ペデスタル４０２に対して垂直軸線４５０の回りに回動することができる。ペデスタル４０２の上部部分４４８には、患者用テーブル４４６が第１の位置あるいは第２の位置にあるときに露出する収納用凹部４５２が形成されている。患者用テーブル４４６は、第１の位置と第２の位置との間に、図９に示すように、収納用凹部４５２を被う中間位置を有している。患者用テーブル４４６は、第１の位置にあるとき、患者用の食事を置くことができ、第２の位置にあるとき、介護者は作業場所として利用することができる。実施例によっては、患者治療モジュール４００は、患者用テーブル４４６は上方にあり、患者の上における第１の位置にある場合に、例えば図１１にて二重矢印４４７で示すように、ペデスタル４０２に対する患者用テーブル４４６の高さを変更するように操作可能な駆動機構を含む。
【００３８】
図１０に示すように、患者治療モジュール４００は、Ｔ形フレーム４５６によって患者用テーブル４４６の上方に支持された通信制御装置４５４を含む。Ｔ形フレーム４５６の垂直部分４５８は、患者用テーブル４４６が垂直軸線４５０の回りを回動するのとは無関係に、垂直軸線４５０の回りを回動することができ、また、通信制御装置４５４は、Ｔ形フレーム４５６の水平部４６４に対して水平軸線４６２の回りを回動することができる。通信制御装置４５４は、上部移送台４１０に支えられた患者が利用可能な受話器を有する電話機４６６と、双方向ディスプレイ４６８とを備えている。
【００３９】
複数の患者モニタモジュール４７０が、図１０に示されるように、ペデスタル４０２の垂直端面４７２の上部部分に沿って並列配置されている。また、複数のサービス用差込口４７４が患者モニタモジュール４７０下方の垂直端面４７２に配置されている。各患者モニタモジュール４７０は患者データ配線４７６を介して患者のデータを受信する。患者データ配線４７６の端部は、患者の状態を観察するため、上部移送台４１０に支えられた患者に接続されている。観察する患者の状態としては、例えば、温度、心拍数、血液酸素供給度（blood oxygenation）、呼吸、脳活性度などが挙げられる。
【００４０】
介護者制御パネル４７８にはペデスタル４０２の傾斜面４８２に形成された開口部４８０からアクセスすることができる。この制御パネル４７８を用いて各患者モニタモジュール４７０に対してパラメータを入力し、患者のデータを受信することができる。制御パネル４７８はタッチスクリーンが好ましい。しかし、ノブ又はボタンを備えたその他のタイプの制御パネルなどを、タッチスクリーンの代わりに患者治療モジュール４００に設けてもよい。サービス用差込口４７４から、サービス用差込口４７４に連結する種々の装置に対して医療用ガス、真空、加圧空気、作動流体及び動力を供給する。サービス用差込口４７４は、病室４８６の床４３４を介して配管され、ペデスタル４０２の内部領域に引き込まれたサービス用供給ライン４８４を通して医療用ガス、真空、加圧空気、作動流体及び動力を受け入れる。制御パネル４７８、サービス用差込口４７４及び患者モニタモジュール４７０は、患者が上部移送台４１０のマットレス４１２に横になっているとき、患者がアクセスできないようにペデスタル４０２に配置されている。
【００４１】
患者治療モジュール４００は、二重矢印４９１によって指示されるように、ペデスタル４０２の上部ハウジング部分４９０を昇降させる駆動機構４８８を含み、上部ハウジング部４９０には上部移送台４１０及びその上に支えられている患者の高さを変えるためにリフトアーム４０４が連結されている。ペデスタル４０２は、上部ハウジング部分４９０を昇降させる時に膨張収縮する下部ベロー部分４９２を含む。また、患者治療モジュール４００は、ペデスタル４０２と上部移送台４１０を垂直軸線４９６の回りに回転する駆動機構４９４を備えている。垂直軸線４９６は、図１１に示すように、ペデスタル４０２からオフセットしており、患者とほぼ中心があっている。
【００４２】
図１１に（実線にて）示すように、好ましいサービス用溝４９８が病室の床４３４に形成されている。サービス用供給ライン４８４がサービス用溝４９８を通って患者治療モジュール４００に引き込まれ、垂直軸線４９６の近傍でベースパネル４０６の下面に形成された開口部を介してベースパネル４０６の内部領域に入る。あるいは、図１１にて仮想線で示すサービス用溝４９９をペデスタル４０２の下方における病室の床４３４に形成してもよい。
【００４３】
本開示によれば、第１変形例の床取付患者治療モジュール５００は、図１２〜図１５に示すように、病室５０６の床５０４上に支持された矩形ベースプレート５０２（また、ベースともいう）と、ベース５０２から上方に延びるペデスタル５０８を含む。供給管５１０がベース５０２のヘッドエンド５１２に連結されている。供給管５１０は、図１３に示すように、供給管５１０を介して患者治療モジュール５００に取り回されたサービス用供給ライン５１４の一部を含んでいる。ペデスタル５０８は、ベース５０２から上方に延びる下部ハウジング５１６と、下部ハウジング５１６に連結されて垂直方向に入れ子状の運動を行う上部ハウジング５１８を備える。患者治療モジュール５００は、下部ハウジング５１６に対して上部ハウジング５１８を昇降するように作用する駆動機構５２０を備えている。一対のリフトアーム５２２が上部ハウジング５１８に連結され一緒に昇降する。リフトアーム５２２は、図１２〜図１５に示すように、上部移送台５２４を支持するように構成されている。上部移送台５２４及びその作用は、図９〜図１１の上部移送台４１０と略同様である。
【００４４】
複数の患者モニタモジュール５２６が、図１３に最良に示されているように、ペデスタル５０８の垂直端面５３０の上部５２８に沿って並列に配置されている。また、複数のサービス用差込口５３２が患者モニタモジュール５２６の下方の端面５３０に配置されている。サービス用供給ライン５１４が、ペデスタル５０８における上部ハウジング５１８の内部領域のサービス用差込口５３２に連結されている。患者治療モジュール５００は、ペデスタル５０８に対して垂直軸線５３６の回りを、図１４に示す第１の位置と、図１２、図１３、図１５に示す第２の位置との間で回転することのできるオーバーベッドテーブルすなわち患者用テーブル５３４を含む。第１の位置で、患者用テーブル５３４はペデスタル５０８の上面全体の上にあり、第２の位置で、上部移送台５２４で支えられた患者の上にある。患者治療モジュール５００は、図１５に示すように、患者用テーブル５３４に形成された電話収納凹部５００内に配置された電話機５３８を含む。
【００４５】
上部移送台５２４は、図１４に示すように、患者治療モジュール５００とストレッチャ台５４２との間で移送可能である。ストレッチャ台５４２は、ストレッチャ台５４２によって搬送されるとき、上部移送台５２４が連結される、相互に離間した一対の立設リフトアセンブリ５４４を含む。患者治療モジュール５００は、上部移送台５２４をリフトアーム５２２に固定する第一組の連結機構を含む。ストレッチャ台５４２は、上部移送台５２４をリフトアセンブリ５４４に固定する第２組の連結機構を含む。実施例によっては、上部移送台５２４は、上部移送台５２４をリフトアーム５２２及びリフトアセンブリ５４４に固定するように構成された連結機構を備えている。上部移送台５２４がリフトアーム５２２に連結されたとき、上部移送台は、図１２〜図１４に示される水平なテーブル構成と、図１５に示される椅子構成とを取ることが可能である。
【００４６】
図１６において、第２変形例の床取付患者治療モジュール６００は、床係合部分６０４と連結ポート６０６とを有するベース６０２を備えている。患者治療モジュール６００は、さらに、ペデスタル６０８と、このペデスタル６０８に連結された一組のサービス用差込口６１０とを含む。サービス用供給ライン６１２は、病院６１８の床６１６に形成された溝６１４から、ベース６０２を通過し、またペデスタル６０８を通過して、取り回されている。サービス用供給ライン６１２の端部は、当業者に周知の態様にて、ペデスタル６０８の内部領域におけるサービス用差込口６１０の後ろ側に連結されている。
【００４７】
ベース６０２の連結ポート６３８は、図１６に示されるように、グリッパーあるいはカプラ６２０を含む。病室用ベッド６２２は、ベースフレーム６２４、ベースフレーム６２４に連結され、下方に延びる一組のキャスター６２６、ベースフレーム６２４に連結され、上方に延びる一組のリフトリンク機構６２８、このリフトリンク６２８の上端６３２に連結された患者支持デッキ６３０、及び患者支持デッキ６３０によって支持されたマットレス６３４を含む。病室用ベッド６２２は、水平矢印６３６によって指示される方向に移動可能であって、患者治療モジュール６００におけるベース６０２の連結ポート６０６と連結する。好適な実施例において、カプラ６２０は、ラッチやクラッチなどの部材であって、ベースフレーム６２４の一部がカプラ６２０のフレーム装着空間に進入したとき、病室用ベッド６２２のベースフレーム６２４を自動的に把持する。適当な解放機構が設けられており、所望時に、カプラ６２０を作動させて病室用ベッド６２２のベースフレーム６２４を解放する。
【００４８】
病室用ベッド６２２が患者治療モジュール６００に連結したとき、患者治療モジュール６００と病院用ベッド６２２とは、ペデスタル６０８からずれた垂直軸線６４０の回りを一体として回動することができる。実施例によっては、病院用ベッド６２２が患者治療モジュール６００に連結したとき、患者治療モジュール６００と病院用ベッド６２２とが、ペデスタル６０８を貫通する垂直軸線６４２の回りを一体的に回動することができる。患者用治療モジュール６００は、図９〜図１１の患者用テーブル４４６と同様のオーバーベッドテーブルすなわち患者用テーブル６４４を含む。また、患者治療モジュール６００は、ベース６０２に対してペデスタル６０８のハウジング部分６４８を昇降させるように作用する駆動機構６４６を含む。ペデスタル６０８は、ハウジング部分６４８の昇降時に膨張収縮するベロー部分６５０を含む。
【００４９】
図１７は、床取付患者治療モジュール７０２と上部移送台７０４が設けられた病室７００の平面図である。図に示すように、患者治療モジュール７０２と上部移送台７０４とは、図９〜図１１に示されたタイプのものである。上部移送台７０４と患者治療モジュール７０２は、病室７００内にて、第１の位置（実線）、第２の位置（仮想線）及び第３の位置を含む複数の位置間において垂直軸線７０６の回りを回転することができる。第１の位置では、上部移送台７０４のヘッドエンド７１０が医療データモニタ７１４と種々のガス供給部品７１６を収納したヘッドウォール７１２に対向している。第２の位置では、上部移送台７０４のフットエンド７１８が病室７００の訪問者領域７２０に対向している。第３の位置では、上部移送台７０４のフットエンド７１８が病室７００のバスルーム領域７２２に対向している。患者治療モジュール７０２と上部移送台７０４がそれらの位置の間を移動すると、患者データライン７２４は、上部移送台７０４の上に横たわっている患者に対する向きと、患者治療モジュール７０２に対する向きを維持する。従って、上部移送台７０４と患者治療モジュール７０２は、垂直軸線７０６の回りを共に回転するので、不必要に、患者データライン７２４を引いたり、もつれさせたり、又は断線させたりすることを避けることができる。
【００５０】
天井支持レール７３０が、上部移送台７０４と、バスルーム領域７２２内に設けられた便器７２８との間に延設されている。ハーネス、ハンドルバー、あるいはシートのような患者支持具７３２が天井支持レール７３０からぶら下がっている。患者支持具７３２は、まず、上部移送台７０４が、フットエンド７１８がバスルーム領域７２２に対向する第３の位置に移動し、ついで、患者が上部移送台７０４から降りることのできる椅子の位置に移動した後、患者がバスルーム領域７２２に移動することに使用される。シンク７３４が便器７２８のごく近くでバスルーム領域７２２に配置されている。従って、患者は、天井支持レール７３０からぶら下がった患者支持具７３２でサポートされながらでも、便器７２８とシンク７３４との両方を利用することができる。第２のレール７３１が、上記天井支持レール７３０からバスルーム領域７２２のシャワー部分７３３に延設されている。実施例によっては、フレーム構造アセンブリで支持されたオーバーヘッドレールを天井支持レールの代わりに使用することができる。天井あるいはフレーム構造アセンブリに連結されたレール及びこのレールと共に使用する患者支持具は、病院に係る技術として周知のことである。
【００５１】
サービス用及びデータ用ライン７３６が、図１７と図１８とに１本の仮想線で概略的に図示されている。しかし、多数のサービス用及びデータライン７３６が患者治療モジュール７０２から、医療データモニタ７１４及びガス供給部品７１６のような対応する医療装置に配線されていることは理解されるであろう。サービス用及びデータ用ライン７３６は、図１７及び図１８に示されるように、各患者モニタモジュール７３８とサービス用差込口７４０から、患者治療モジュール７０２の内部領域、病室７００の床７４４に形成されたサービス用溝７４２、及びヘッドウォール７１２の内部領域を通過するように配線される。患者に接続されたセンサで得られた信号は、患者データライン７２４を介して患者モニタモジュール７３８に伝達され、医療データモニタ７１４は、これらの信号を生のまま、あるいは患者モニタモジュール７３８で処理した後、データライン７３６を介して受信する。
【００５２】
ヘッドウォール７１２に収容される医療データモニタ７１４は、図１８に示すように、医療データモニタ７１４の操作を制御するのに使用する制御パネル７４６を備えている。制御パネル７４６は介護者に使用されて、例えば、患者モニタモジュール７３８から受信した信号のうち、対応したモニタ７１４にどれを表示するかを選択するか、あるいは、特定の患者モニタモジュール７３８の信号を表示すべき方法を調整してもよい。ガス供給部品７１６としては、マニホルド、バルブ、圧力調整弁、圧力センサ、警報装置などが挙げられる。本開示の範囲では、ヘッドウォール７１２に設けられるか、又は、ライン７３６を介して患者治療モジュール７０２に連結される他のタイプの医療装置も含まれる。ライン７３６は、患者治療モジュール７０２、病室７００の床７４４、及びヘッドウォール７１２を介して配線されるので視界から隠され、患者に種々の医療機器がつながれたとしても、病室７００内の乱雑さは最低限に抑えられる。
【００５３】
本開示によれば、図１９及び図２０に示すように、支柱取付連結ステーション８００は、垂直支柱８０２、支柱８０２の下端部８０６近くで支柱８０２に連結された連結ポート８０４、連結ポート８０４の上方で支柱８０２に連結された通信制御装置８１０、及び、この通信制御装置８１０に連結されたオーバーベッドテーブル又は患者用テーブル８１２を含む。垂直支柱８０２、連結ポート８０４、通信制御装置８１０、及び患者用テーブル８１２は、支柱８０２によって規定された垂直軸線８１４の回りを共に回転することができる。図２０に示すように、支柱８０２の上端部８０８は病室８１８の天井８１６に連結され、支柱８０２の下端部８０６は病室８１８の床８２０に連結される。好適な連結手段（couplings）によって、支柱８０２は、天井８１６と床８２０とに連結され、支柱８０２は垂直軸線８１４の回りを回転することができる。
【００５４】
図１９に示すように、連結ポート８０４の基端部８２２は垂直支柱８０２に連結され、連結ポート８０４の末端部８２４には溝、又はフレーム装着空間８２６が形成されている。従って、連結ポート８０４は、支柱８０２から片持ち梁状に水平に延びている。病室用ベッド８２８は、ベースフレーム８３０、ベースフレーム８３０に連結され、そこから下方に延びる一組のキャスター８３２、ベースフレーム８３０に連結され、そこから上方に延びる一組のリフトリンク機構８３４、患者支持デッキ８３６、及びこのデッキ８３６によって支持されたマットレス８３８を含む。病室用ベッド８２８におけるベースフレーム８３０の側部フレーム部材８４０が、ベッド８２８を連結ステーション８００に連結するため、フレーム装着空間８２６に装着可能とされている。連結ポート８０４は、例えば、ラッチやクラッチのようなグリッパーあるいはカプラ８４２を一つあるいは複数備えており、これらは、ベースフレーム８３０の側部フレーム部材８４０がフレーム装着空間８２６に進入したとき、自動的にベースフレーム８３０に連結するか、あるいはベースフレーム８３０上の好適な部材と連結し、ベッド８２８を連結ステーション８００に連結する。好適な解放機構が設けられており、所望時に、カプラ８４２を作動させて病院用ベッド８２８のベースフレーム８３０を連結ステーション８００から解放することができる。病院用ベッド８２８が連結ステーション８００に連結されると、ベッド８２８は、垂直軸線８１４の回りを連結ステーション８００と共に回転することができる。
【００５５】
連結ステーション８００は、連結ポート８０４の垂直端面８４６に設けられた一つあるいは複数のサービス用差込口８４４を含む。支柱８０２は、連結サポート８０４の内部領域と連通した一つあるいは複数の内部通路を含む。サービス供給ライン８４７が、支柱８０２の内部通路、及び連結ポート８０４の内部領域を通り、天井８１６から下方に、あるいは床８２０から上方に配線されている。各サービス供給ライン８４７は、各サービス用差込口８４４で終了する。サービス供給ライン８４７としては、例えば、ＡＣ電力線、ＤＣ電力線、ビデオ線、オーディオ線、データ伝送線、通信線などを挙げることができる。サービス供給ライン８４７によって、連結ポート８０４に取り付けられたサービス用差込口８４４に供給される医療用ガス、真空、作動流体、及び加圧空気のような他のサービス材も本開示の範囲内である。病室用ベッド８２８のベースフレーム８３０は、ベッド８２８に対してサービスがなされるように、ベッド８２８が連結ステーション８０２と連結したとき、通信回線が形成されるように、サービス用差込口８４４と接合するサービス用コネクタを備えている。
【００５６】
通信及び制御ユニット８１０の下部分８４８には、図１９に示すように、水平の長孔８５０が形成されている。患者用テーブル８１２が通信制御装置８１０に連結されて、テーブル８１２が長孔８５０内に位置する収納位置と、テーブル８１２のほとんどが長孔８５０の外部にある患者使用位置との間を回動することができる。他の実施例では、患者用テーブル８１２は水平長孔８５０に対して出たり入ったり平行移動する。テーブル８１２が患者使用位置にあるとき、テーブル８１２は、通信制御装置８１０から水平方向外方に延在している。図示する実施例においては、患者用テーブル８１２は、収納位置と患者使用位置との間を移動するとき、９０度回動する。患者用テーブル８１２は、また、患者使用位置から介護者使用位置まで１８０度回動することができる。介護者使用位置では、テーブル８１２は、通信制御ユニット８１０から水平方向に、病院用ベッド８２８から離れる方向に延在している。
【００５７】
実施例によっては、患者用テーブル８１２は、収納のためコンパクトな構成で扱うことができるように、屈曲する、入れ子状にはまりこむ、あるいは相対的に移動する複数の部分から構成される。また、連結ステーション８００は、患者用テーブル８１２を収納位置、患者の使用位置、あるいは介護者の使用位置にロックする好適なロック機構を含む。連結ステーション８００は、図２０の二重仮想線矢印８５６によって指示されるように、通信制御装置８１０及びテーブル８１２の垂直位置を支柱８０２に沿って変えるように作用する駆動機構８５４を含む。
【００５８】
通信制御装置８１０には、種々の通信制御装置が配置された空洞８５８が形成されている。例えば、制御パネル８６０が通信制御装置８１０の垂直凹壁８６２に連結され、表示スクリーン８６４が通信制御装置８１０の側壁８６６に連結され、電話機の受話器８６８が通信制御装置８１０の底壁８７０に載置される。制御パネル８６０は、例えば、部屋の照明、部屋の温度、テレビの機能、ナースコール機能などを制御するユーザ入力装置を備えている。表示スクリーン８６４は、例えば、テレビの画像、インターネットの画像、教育情報、患者のスケジュール、患者の会計情報及びビデオ会議画像のような種々の画像を表示する。電話機の受話器８６８は従来の方法で使用して通話を行う。
【００５９】
好適な実施例を参照して詳細に幾つかの発明について説明したが、変形及び変更は下記の請求項に記載されかつ定義されたような本発明の範囲及び精神内に存在するものである。
【図面の簡単な説明】
【００６０】
詳細な説明は特に下記の添付図を参照する。
【図１】図１は、ストレッチャ及び連結ステーションの斜視図であり、連結ステーションは、病室の壁から離れるように水平方向に延びる一組の支持レールと、この支持レールの端部に連結され、下方に延びて病室の床と係合する一組の支持脚部と、各支持レールから上方向に延びる一組の側部レールとを含み、支持レールの間には連結空間が形成され、また、ストレッチャは、矢印の方向に移動してストレッチャの上部移送台を連結空間に移送するように構成されている。
【図２】図２は、図１と同様の斜視図であり、上部移送台がストレッチャの搬送台から取り外され、上部移送台は支持レールと、連結ステーションの支持脚部とによって支持され、ストレッチャの搬送台は連結ステーションから離れるように矢印方向に移動されている。
【図３】図３は、図２と同様の斜視図であり、椅子位置に折曲された上部移送台を示し、この椅子位置は、上位位置へと上方に回動された上部移送台の頭部セクションを有し、下位位置へと下方に回動された上部移送台の脚部セクションを有し、側部レールと共に支持レールのフットエンドに向けて水平方向に移動した上部移送台のシートセクションとを有している。
【図４】図４は、図２と同様の斜視図であり、連結ステーションが、壁パネルの後ろに配置されたモータパッケージを含み、上部移送台及び支持レールがモータパッケージによって垂直矢印の方向に下位位置へと下方に移動され、一方の側部レールのフットエンドセクションが、患者が上部移送台の側部から降りられるように、対応する側部レールのヘッドエンドセクションに対して垂直軸線の回り横外側方向に回動されている。
【図５】図５は、第１変形例の連結ステーションを示す側面図であり、この第１変形例の連結ステーションは、リフト機構と、このリフト機構から片持ち梁状に水平方向に延びるリフトアームとを有し、リフト機構は、垂直二重頭部矢印が示すようにリフトアームを昇降するように作用し、上部移送台がマットレスと、このマットレスの下のマットレス支持デッキとを有し、マットレス支持デッキは、リフトアームと連結されて共に昇降し、上部移送台が格納可能な脚部を含み、この脚部はマットレス支持デッキに対して、マットレス支持デッキから垂直下方に延びて床と係合する使用位置と、マットレス支持デッキの下面に隣接して水平に延びる格納位置との間を回動し、搬送台車が、水平矢印の方向に上部移送台の下の位置に移動されるように配置され、上部移送台が第１変形例の連結ステーションから離脱され、搬送台車によって第１変形例のドッキングステーションから離れるように搬送される。
【図６】図６は、第２変形例の連結ステーションを示す斜視図であり、この第２変形例の連結ステーションは、病室の壁から離れるように片持ち梁状に水平方向に延びる一対のリフトアームと、この一対のリフトアームに連結されたボルスターアセンブリとを有し、ボルスターアセンブリは、病室の壁に隣接し水平に延びるヘッドエンドと、ヘッドエンドから水平に延びる一対の側部部分とを有し、ボルスターアセンブリは、一対の側部部分の間にマットレス収容空間を有するように形成され、可動プラットフォームが、この可動プラットフォームのマットレスがマットレス収容空間に収容されるように、第２変形例に連結するように構成され、ボルスターアセンブリは、可動プラットフォームが第２変形例の連結ステーションに連結されたとき、マットレスの上面と協働して患者を支持することに使える表面積を増大させる上面を有する。
【図７】図７は、第２変形例の連結ステーションと図６の可動プラットフォームの側面図であり、可動プラットフォームが第２変形例の連結ステーションから離れた状態を示す。
【図８】図８は、図７と同様の側面図であり、可動プラットフォームが第２変形例の連結ステーションに連結した状態を示す。
【図９】図９は、床取付患者治療モジュール治療モジュール、上部移送台、及び車輪付き搬送台を示す斜視図であり、患者治療モジュール治療モジュールは、ペデスタルと、ペデスタルから水平に延びる一対のリフトアーム（仮想線）と、及びこのリフトアームの下のペデスタルの底部から延びるベースパネルとを含み、上部移送台は、リフトアームによってベースパネルの上部で支持されており、患者治療モジュールの残り部分と共にベースパネル、及び上部移送台は、ペデスタルからずれた垂直軸線の回りを回転可能であり、搬送ベースが中心ハブ及びこの中心ハブからほぼ水平方向外方に放射状に延びる６本のスポークを有する下部フレームを含み、搬送ベースが、スポークの末端部に連結されたキャスター、中心ハブから上方に延びる垂直支柱、及び垂直支柱の上端部に連結されたマットレス支持デッキを備えており、マットレス支持デッキは、中心セクション、及び中心セクションに連結され、水平位置（実線）と垂直位置（仮想線）との間で回動する一対の端部セクションを有している。
【図１０】図１０は、図９の患者治療モジュール及び上部移送台を示す斜視図であり、上部移送台の頭部セクションが起こされて患者を起き上がった位置に支持し、患者治療モジュールのオーバーベッドテーブルが、ペデスタルに対して、ペデスタルから遠ざかるように横方向に延びて患者の膝上に位置する第１の位置（実線）と、ペデスタルから遠ざかるように上部移送台に対向するペデスタルの側部に横方向に延びる第２の位置（仮想線）との間で垂直軸線の回りを回動し、収納凹部が、テーブルが第１の位置及び第２の位置にあるとき露出されるペデスタルの上面に形成され、患者治療モジュールは、テーブルの上方で支持された通信・制御装置を含み、通信制御装置は、患者によって使用される電話機及び双方向表示装置を有し、患者治療モジュールは、患者が上部移送台のマットレス上に横たわったとき手の届かないペデスタルの一端に複数のサービス用差込口及び介護者用制御パネルを備えている。
【図１１】図１１は、図１０の患者治療モジュール及び上部移送台を示す端面図である。本図において、テーブルがペデスタルに対して垂直方向に調整可能であり、患者治療モジュール及び上部移送台が回動する垂直軸線が患者と中心がほぼ一致しており、サービス供給ラインが患者治療モジュールへと配線される好適なサービス用溝（実線）が病室の床に形成されており、また、それに代わるサービス用溝（仮想線）が床に形成されている。
【図１２】図１２は、第１変形例の患者治療モジュールの斜視図であり、第１変形例の患者治療モジュールは、病室の床に支持された矩形ベース、及びこのベースから上方に延びるペデスタルを有し、供給管がベースの頭部に連結され、供給管は、この供給管を介して第１変形例の患者治療モジュールに配線されたサービス供給ラインの一部を含み、上部移送台が床の上方で患者治療モジュールによって支持されている。
【図１３】図１３は、図１２における第１変形例の患者治療モジュールの端面図であり、第１変形例の患者治療モジュールは、ペデスタルの端面に沿った複数のサービス用差込口、及びペデスタルに対して垂直軸線の回りに上部移送台によって支えられた患者が横たわる位置の上に回動できるオーバーベッドテーブルを含むことを示す。
【図１４】図１４は、図１３における第１変形例の患者治療モジュール及び上部移送台の斜視図であり、上部移送台が、第１の変形例の患者治療モジュールからストレッチャ台へ矢印方向に移動されているのを示す。
【図１５】図１５は、図１４と同様の斜視図であり、上部移送台は、上部移送台のシートセクションから上方に延びる移送台の頭部セクションと、シートセクションから下方に延びる移送台の脚部セクションとを有するのを示し、また、第１変形例の患者治療モジュールが、オーバーベッドテーブルに連結された電話機を含むのを示す。
【図１６】図１６は、病室用ベッドと第２変形例の患者治療モジュールを示す端面図であり、病室用ベッドは、水平矢印方向に移動可能で第２変形例の患者治療モジュールにおけるペデスタルの下部分に連結することができ、また、第２変形例の患者治療モジュール及び病室用ベッドは、病室用ベッドがペデスタルの下部分と連結したとき、垂直軸線の回りを回動することができることを示す。
【図１７】図１７は、図９〜１１の患者治療モジュールが含まれる病室の平面図であり、上部移送台及び患者治療モジュールは、第１の位置、第２の位置、及び第３の位置の間を移動することができ、第１の位置（実線）では、上部移送台のヘッドエンドが、医療データモニタ及びガス供給装置が収納されたヘッドウォールに対向しており、第２の位置（仮想線）では、上部移送台のフットエンドが、病室の訪問者領域に対向しており、第３の位置（仮想線）では、上部移送台のフットエンドが病室のバスルーム領域に対向しており、天井支持レールは、上部移送台からバスルーム領域に設けられた便器に延びて、さらに、患者サポート支持装置は天井支持レールに取り付けられて、上部移送台が第３の位置に移動して患者が上部移送台から降り易いように椅子の位置に折れ曲がったときに、患者がバスルーム領域に移動するのに用いられる。
【図１８】図１８は、図１７の患者治療モジュール及び上部移送台の端面図であり、介護者がヘッドウォールに設けられた医療データモニタの一つを見ているのを示し、患者のデータは、患者からペデスタルに装着された患者モニタモジュールの一つに延びる第１データラインを介して患者治療モジュールに伝達され、また、患者データモニタは、患者治療モジュールを介し、さらに、ヘッドウォールのフロントパネルの後と、病室の床に形成されたサービス用溝を介して医療データモニタに配線された第２データライン（仮想線）を通り、ペデスタルからデータを受信する。
【図１９】図１９は、支柱取付連結ステーションの斜視図であり、この支柱取付連結ステーションは、垂直支柱、支柱の下端部近傍で支柱に連結された連結ポート、連結ポートの上方において支柱に連結された通信制御装置、及びこの通信制御装置から離れるように水平方向に延びるオーバーベッドテーブルを含むことを示す。
【図２０】図２０は、病室用ベッド及び図１９の支柱取付連結ステーションの斜視図であり、病室用ベッドは連結ポートに連結されたベースフレーム部材を有し、支柱取付連結ステーションを介してベッドに対するサービスが供給されて、通信制御装置及びオーバーベッドテーブルは、垂直二重矢印によって示されるように、支柱に対して昇降可能であり、また、支柱取付連結ステーションは病室用ベッドと共に、支柱を通って延びる垂直軸線の回りを回転することができる。
【図１】
2005515801.tif 000003
【図２】
2005515801.tif 000004
【図３】
2005515801.tif 000005
【図４】
2005515801.tif 000006
【図５】
2005515801.tif 000007
【図６】
2005515801.tif 000008
【図７】
2005515801.tif 000009
【図８】
2005515801.tif 000010
【図９】
2005515801.tif 000011
【図１０】
2005515801.tif 000012
【図１１】
2005515801.tif 000013
【図１２】
2005515801.tif 000014
【図１３】
2005515801.tif 000015
【図１４】
2005515801.tif 000016
【図１５】
2005515801.tif 000017
【図１６】
2005515801.tif 000018
【図１７】
2005515801.tif 000019
【図１８】
2005515801.tif 000020
【図１９】
2005515801.tif 000021
【図２０】
2005515801.tif 000022
【国際調査報告】
2005515801.tif 000023
2005515801.tif 000024
2005515801.tif 000025
2005515801.tif 000026
2005515801.tif 000027